(57)【要約】【課題】操作機構の部品点数削減と併せて、薄形，軽量化が図れるように組立構造を改良した真空遮断器の操作機構を提供する。【解決手段】遮断器本体の前部に配して該遮断器本体に搭載した真空バルブを開閉操作する真空遮断器の操作機構であって、真空バルブ１３に連繋した出力レバー４と引き外しラッチ６に対向する揺動式のストッパ５との間をトグルリンク７を介して相互連結し、このトグルリンク７に係合した操作スプリング９の蓄勢，釈放動作で真空バルブ１３を開閉位置に駆動するようにしたものにおいて、前記操作スプリング９の本数を１本とし、該操作スプリング９は、その一端をトグルリンク７の一方のリンクアーム７ｂに穿孔したスプリング係合穴７ｄに直接係合した上で、ストッパ５，トグルリンク７などの部材との接触干渉を避けるようにトグルリンク７の側方に引出して固定ピン１４との間に張架する。【選択図】図１
2013164919.tif 000002
【特許請求の範囲】
【請求項１】
遮断器本体の前部に配して該遮断器本体に搭載した真空バルブを開閉操作する真空遮断器の操作機構であって、前記真空バルブに連係した出力レバーと引き外しラッチに対向配置する揺動式ストッパとの間を、トグルリンクを介して相互連結するとともに、引張コイルバネになる操作スプリングの一端を前記トグルリンクに係合し、該操作スプリングの蓄勢，釈放動作で真空バルブを開閉位置に駆動操作するものにおいて、
前記操作スプリングの本数を１本として、該スプリングの一端を前記トグルリンクの片方のリンクアームに直接係合して張架したことを特徴とする真空遮断器の操作機構。
【請求項２】
請求項１に記載の操作機構において、前記操作スプリングは、その一端をトグルリンクのリンクアームに穿孔した係合穴に引っ掛けてトグルリンクの側方に引出した上で、他端を固定ピンに係止して張架したことを特徴とする真空遮断器の操作機構。
【発明の詳細な説明】
【技術分野】
【０００１】
本発明は、真空遮断器に装備した操作機構の組立構造に関する。
【背景技術】
【０００２】
まず、ハンドル操作形の真空遮断器を例に、従来の真空遮断器における操作機構（例えば、特許文献１参照）の構造，およびその動作を図３〜図６で説明する。
この操作機構は、特許文献１の図５で開示されているように、真空バルブ，主回路端子などを搭載した開閉部の前部に配備した操作部の組立ケースに組み込まれており、該ケースの前方に設けた操作ハンドルで遮断器の投入，開極，リセット操作を行うようにしている。
【０００３】
図３〜図６において、１は操作機構の組立フレームを兼ねた操作部の箱形ケースであり、該ケース１の内部には次記構成になる操作機構２が組み込まれている。
すなわち、操作機構２は、操作ハンドル（不図示）を連結する操作軸３、支軸４ａを介してケース内の下方に配置した揺動式の出力レバー４、支軸４ａを支点として上方に配した揺動式のストッパ５、該ストッパ５の先端爪部に対峙して配置した引き外しラッチ６、前記ストッパ５と出力レバー４との間を連結するトグルリンク７の上リンクアーム７ａ，下リンクアーム７ｂ、ケース１に下端を軸支して上端の連結ピン８ａがレバー８ｂを介して前記操作軸３のクランクアーム３ａに連結した門形形状の操作リンク８、ストッパ５，およびトグルリンク７を両側から挟んで前記操作リンク８の連結ピン８ａとトグルリンク７のアーム連結ピン７ｃとの間に私掛け渡して張架した左右一対の操作スプリング９、および前記出力レバー４に設けたローラ４ｂに対峙して配置した投入ラッチ１０などの組立体になり、図６で示すように出力レバー４がリンク１１を介して遮断器の開閉部に組み込まれた真空バルブを開，閉位置に駆動する駆動軸１２に連結されている。
【０００４】
上記構成になる操作機構の開閉，トリップ動作は特許文献１に述べられており、ここでは詳細な説明を省くが、図４の投入状態では操作スプリング９が蓄勢され、ストッパ５は引き外しラッチ６に係合して図示位置に保持されている。
【０００５】
ここで、主回路に過電流が流れた場合には、引き外しコイルの動作に連動して操作機構２の引き外しラッチ６がストッパ５の係合を釈放する。これにより、図６のようにストッパ５は操作スプリング９のバネ力を受けて上方に跳ね上がるとともに、出力レバー４が支軸４ａを支点に時計方向に揺動し、リンク１１，駆動軸１２を介して真空バルブを開極する。同時に背後からバネ付勢を受けた投入ラッチ１０がローラ４ｂに係合して出力レバー４を図示位置に鎖錠し、真空バルブを開極位置に保持する。
【０００６】
そして、電流遮断後に「入り」位置に停止している操作ハンドルを反時計方向の「切り・リセット」位置に回すと、トグルリンク７が反転動作してストッパ５が引き外しラッチ６に係止されて投入待機状態（リセット）となり、この状態からさらに操作ハンドルを「入り」位置に回すと、投入ラッチ１０が後退して図４の投入状態に復帰する。
【０００７】
また、図４の投入状態から手動で操作ハンドルを「入り」位置から反時計方向の「切り」位置に回すと、トグルリンク７が反転動作して出力レバー４を時計方向に駆動し、前記と同様に真空バルブが開極する。
【０００８】
なお、前記したハンドル操作形のほかに電動操作形の真空遮断器もある。
【先行技術文献】
【特許文献】
【０００９】
【特許文献１】特開平６−１９６０４６号公報
【発明の概要】
【発明が解決しようとする課題】
【００１０】
ところで、一般に真空遮断器は配電盤などの盤内に搭載して使用することから、その所要占有スペースを縮小するように、できるだけ小形，コンパクトに構成することが望まれる。
【００１１】
かかる点、図３〜図５に示した従来の操作機構では、図示のようにストッパ５，トグルリンク７の外側を跨ぐように門形形状の操作リンク８を配置した上で、該操作リンク８の上端部を貫通する連結ピン８ａとトグルリンク７の上リンクアーム７ａと下リンクアーム７ｂを連結するアーム連結ピン７ｃとの間に操作スプリング９のフックを掛け渡して張架すようにしていることから、操作スプリング９は操作機構の動作に伴うストッパ５，トグルリンク７との不要な接触干渉，および操作スプリング９のバネ荷重が偏倚するのを避けるために２本のスプリングを使用し、この操作スプリング９を正面から見て前後に分けてストッパ５，トグルリンク７の両側に布設するようにしている。
【００１２】
このために、図５のように操作機構２を組み込んだ組立ケース１の奥行き寸法ｄが大となって遮断器全体の外形サイズ（奥行き寸法）が大形化する。
本発明は上記の点に鑑みなされたものであり、その目的は部品点数の削減と併せて、操作機構の薄形，軽量化が図れるように組立構造を改良した真空遮断器の操作機構を提供することにある。
【課題を解決するための手段】
【００１３】
上記目的を達成するために、本発明によれば、遮断器本体の前部に配して該遮断器本体に搭載した真空バルブを開閉操作する真空遮断器の操作機構であって、前記真空バルブに連繋した出力レバーと引き外しラッチに対向配置する揺動式ストッパとの間を、トグルリンクを介して相互連結するとともに、引張コイルバネになる操作スプリングの一端を前記トグルリンクに係合し、該操作スプリングの蓄勢，釈放動作で真空バルブを開閉位置に駆動操作するものにおいて、
前記操作スプリングの本数を１本として、該スプリングの一端を前記トグルリンクの片方のリンクアームに直接係合して張架するものとし（請求項１）、その具体的態様として、前記操作スプリングは、その一端をトグルリンクのリンクアームに穿孔した係合穴に係合してトグルリンクの側方に引出し、他端を固定ピンに係止して張架する（請求項２）。
【発明の効果】
【００１４】
上記構成によれば、箱形の組立ケースに組み込んだ操作機構の操作スプリングを１本に減らして部品点数を削減し、さらにトグルリンク，ストッパなどの構成部材との不要な接触干渉，バネ荷重の偏倚を避けつつ、操作スプリングの蓄勢，釈放動作により遮断器を開閉位置に駆動することができる。
【００１５】
しかも、操作スプリングの使用本数を１本に減らしたことで、従来構造と比べて操作機構を薄形，軽量化して構成できる。
【図面の簡単な説明】
【００１６】
【図１】本発明の実施例による真空遮断器の操作機構の模式構成図で、その投入状態を表す図である。
【図２】図１の動作説明図であって、（ａ），（ｂ）はそれぞれ開極状態、投入待機状態を表す図である。
【図３】真空遮断器に搭載した従来の操作機構の斜視構造図である。
【図４】図１の操作機構を操作部のケースに組み込んだ状態の正面図である。
【図５】図４の側視図である。
【図６】図４に対応する遮断器の開極状態を表す図である。
【発明を実施するための形態】
【００１７】
以下、本発明の実施の形態を図１、および図２（ａ），（ｂ）に示す実施例に基づいて説明する。なお、実施例の図中で図３に対応する部材には同じ符号を付してその説明は省略する。
【００１８】
すなわち、図示実施例の操作機構では、操作スプリング９の本数を１本とした上で、その一端のフックをトグルリンク７の一方のリンクアーム，例えば下リンクアーム７ｂの中間部位に穿孔したスプリング係合穴７ｄに直接引っ掛けてトグルリンク７の側方（図示の右側）に引出した上で、スプリングの他端フックを組立ケース１（図４参照）に植設した固定ピン１４に掛け止めして張架するようにしている。なお、図示してないが、この実施例では操作ハンドルの操作端をトグルリンク７に連係し、投入操作時に操作ハンドルを「切り・リセット」位置から「入り」位置に回すと、リンク機構を介してトグルリンク７を図中の左側に引き寄せるようにしている。
【００１９】
上記の構成で、ストッパ５を引き外しラッチ６に係止保持した図１の投入状態では、操作スプリング９の引っ張りバネ荷重により出力レバー４を介して真空バルブ１３を閉極位置に保持している。
【００２０】
この状態から遮断器の開極指令を受けて引き外しラッチ６が反時計方向に回動すると、図２（ａ）で示すようにストッパ５の係合爪との係合が外れる。これにより、操作スプリング９のバネ荷重を受けてストッパ５が支軸５ａを支点に反時計方向に回動し、同時にトグルリンク７を介して出力レバー４が時計方向に回動して真空バルブ１３を開極位置に駆動する。また、この開極動作に伴って出力レバー４の先端に設けたローラ４に投入ラッチ１０が係合して真空バルブ１３を開極位置に保持する。
【００２１】
また、図２（ａ）の引き外し開極状態から遮断器を投入するには、操作ハンドル（不図示）を一旦「切り・リセット」位置に回すと、操作ハンドルの操作端がトグルリンク７に連係する。この状態で操作ハンドルを「入り」位置に回すと、図２（ｂ）のようにトグルリンク７が左側に引き寄せられて操作スプリング９が蓄勢するとともに、ストッパ５が時計方向に回動して引き外しラッチ６に係止される。そして、投入ラッチ１０を待機位置に後退させると、出力レバー４は操作スプリング９のバネ荷重を受けて時計方向に揺動し、図１の投入状態に復帰する。
【００２２】
上記構成によれば、操作スプリング９の使用本数を１本とし、その一端のフックをトグルリンク７の一方のリンクアームに係合した上で、スプリングをトグルリンク７の側方に引き出して張架したことにより、図３〜図５のように２本の操作スプリング９を前後に分けて布設した従来構造と比べて、部品点数を削減して操作機構２を簡素化するとともに、この操作機構２を組み込んだ組立ケース１の奥行き寸法を縮減して真空遮断器を小形，コンパクトに構成できる。
【符号の説明】
【００２３】
１    操作機構の組立ケース
２    操作機構
３    操作軸
４    出力レバー
５    ストッパ
６    引き外しラッチ
７    トグルリンク
７ａ  上リンクアーム
７ｂ  下リンクアーム
７ｃ  アーム連結ピン
７ｄ  スプリング係合穴
【図１】
2013164919.tif 000003
【図２】
2013164919.tif 000004
【図３】
2013164919.tif 000005
【図４】
2013164919.tif 000006
【図５】
2013164919.tif 000007
【図６】
2013164919.tif 000008